(57)【要約】【課題】光コネクタが挿入された通常の使用形態においては、金属カバーはケージ内面に対して確実な電気的接触で良好な接地接続が得られ、光コネクタが取外されている場合は、金属カバーはケージに対して電気的に無接触状態として、容易に着脱が行えるプラガブル光トランシーバを提供する。【解決手段】ホストシステム上に搭載された金属製のケージ２に挿入されて使用されるプラガブル光トランシーバ１１で、光コネクタ７を受納する開口１６を有するレセプタクル１５と、先端部に複数のＣ字状に湾曲された弾性フィンガ１３を有する金属カバー１２を備える。弾性フィンガ１３は、前記の開口１６内に突き出ていて、開口１６内に光コネクタ７が挿入された状態のときに金属カバー２の外方に突き出されて、ケージ２の内面に電気的に接触するようにされる。【選択図】図２
2007233261.tif 000002
【特許請求の範囲】
【請求項１】
ホストシステム上に搭載された金属製のケージに挿入されて使用されるプラガブル光トランシーバであって、
光コネクタを受納する開口を有するレセプタクルと、先端部に複数のＣ字状に湾曲された弾性フィンガを有する金属カバーを備え、前記弾性フィンガは、前記開口内に突き出ていて、前記開口内に前記光コネクタが挿入されたときに前記金属カバーの外方に突き出されて、前記ケージの内面に電気的に接触するように形成されていることを特徴とするプラガブル光トランシーバ。
【請求項２】
前記弾性フィンガは、端部がフック状に内側に湾曲されていることを特徴とする請求項１に記載のプラガブル光トランシーバ。
【請求項３】
前記弾性フィンガは、前記ケージの開口縁部に係止する係止部を有していることを特徴とする請求項１又は２に記載のプラガブル光トランシーバ。
【発明の詳細な説明】
【技術分野】
【０００１】
本発明は、光データリンク、光ＬＡＮ等で光信号を送受信する光通信システムに用いられ、ホストシステムに着脱可能なプラガブル光トランシーバに関する。
【背景技術】
【０００２】
プラガブル光トランシーバは、発光素子と受光素子を備え、光コネクタを介して信号光を送受信するトランシーバで、複数の電子部品、電子回路及び回路基板が収納される本体部と、光コネクタが着脱可能に接続されるレセプタクルとを有している。このプラガブル光トランシーバ（以下、単にトランシーバという）は、例えば、ホストシステムのケージに着脱可能に挿入されて、ケージの奥部に配された電気コネクタと電気的に接続されるとともに、ケージ内への装着がラッチされる（例えば、特許文献１参照）。
【０００３】
図４は、従来のトランシーバ１の一例を説明する図で、例えば、レセプタクル６の後部が断面矩形状で金属製の筐体５で囲った長方形体で形成されている。トランシーバ１内には、発光素子、受光素子等の光部品、光信号の送受信を行うための増幅素子等の電子部品や電子回路、及び、これらを実装するための回路基板を備えている。トランシーバ１は、ホストシステムのホストパネル３に設けられたパネル開口３ａに嵌めこまれ、ホスト基板４上に載置されたケージ２内に挿入され、ケージ２の奥部に配された電気コネクタ（図示せず）により電気的に接続される。
【０００４】
レセプタクル６内には光コネクタ７が挿入され、トランシーバ１内に実装されている発光素子及び受光素子と光学的に接続され、光信号の送受信が行われる。光コネクタ７は、例えば、レセプタクル６への挿入状態がラッチされるタイプ（例えば、ＬＣコネクタ）のものが用いられる。また、レセプタクル６には、トランシーバ１をケージ２内に装着し、この装着をロックするためのベール８等が取り付けられている。
【０００５】
図５は、従来のトランシーバ１のケージ２内への装着状態を説明する図で、図５（Ａ）は光コネクタが挿入されていない状態、図５（Ｂ）は光コネクタが挿入されている状態を示している。ケージ２には、前部の開口縁部の周辺に複数のケージフィンガ２ａが設けられていて、ケージ２をホストシステムのホスト基板４上に搭載して、開口縁部をホストパネル３のパネル開口３ａから露出させるとき、ケージフィンガ２ａはパネル開口３ａに接触してケージ２を電気的に接地接続する。ケージ２は、基板４との間でも接地されているので、電気的には十分に接地電位とされているが、ノイズ信号等の高周波成分が多い信号に対しては、複数個所でできるだけ短い配線長で接地することが接地電位を安定させるのに効果的であるとされている。
【０００６】
すなわち、ケージ２の開口縁部周辺が、ケージフィンガ２ａによりホストパネル２に電気的に接地されることで、ケージ２とホストパネル３との間の隙間を確実にシールドすることができる。これにより、ホストシステム内の高周波信号に起因する高周波ノイズ成分がホストパネルの隙間から外部に漏洩するのを防止するとともに、外部から高周波ノイズ成分がホストシステム内に侵入するのを防止している。
【０００７】
また、トランシーバの筐体を兼ねる金属カバー５の周囲には、複数の弾性フィンガ５ａが一体的に設けられていて、金属性のケージ２内に装着された際に、弾性フィンガ５ａがケージ２の内面に弾性的に接触する（例えば、特許文献２参照）。金属カバー５は、弾性フィンガ５ａによりケージ２と電気的に接続されてホストパネル３に接地されこととなり、金属カバー５をホストパネル３に接地するまでの距離を短くすることができる。これにより、トランシーバ１は、金属カバー５により電磁シールドされる。このことから、弾性フィンガ５ａは、ＥＭＩ（Electro Magnetic Interference）フィンガ又はＧＮＤ（Ground）フィンガとも言われている。
【特許文献１】特開２００４−１１９８６８号公報
【特許文献２】米国特許第６，３３５，８６９号明細書
【発明の開示】
【発明が解決しようとする課題】
【０００８】
図５において、弾性フィンガ５ａは、一般的には金属カバー５に平行又はＵ字状の切り込みを入れてカバー外面側に突出するようにして撓ませ、いわゆる叩き出しにより形成している。また、金属カバー５から叩き出しにより形成することに代えて、予め弧状に湾曲した金属片を溶接等により取付ける方法もある。しかしながら、トランシーバ１をケージ２内に装着する際の差し込み方や光コネクタの取りまわしなどで、トランシーバ１がケージ２内で傾いたり、弾性フィンガ５ａの接触状態が変わってしまう。
【０００９】
一方、ケージ２内にトランシーバ１を確実に装着するために弾性フィンガ５ａの弾性を強めたりすると、ケージ内への着脱が困難になる。また、従来の弾性フィンガ５ａは、着脱の繰り返しによりへたりやすい。さらに、ケージ２自体も金属板を折り曲げて形成しているため、その寸法上のバラツキは比較的大きいと言わざるを得ず、弾性フィンガ５ａとの接触状態が変動する要因ともなっている。
【００１０】
本発明は、上述した実情に鑑みてなされたもので、光コネクタが挿入された通常の使用形態においては、金属カバーはケージ内面に対して確実な電気的接触で良好な接地接続が得られ、光コネクタが取外されている場合は、金属カバーはケージに対して電気的に無接触状態として、容易に着脱が行えるプラガブル光トランシーバの提供を目的とする。
【課題を解決するための手段】
【００１１】
本発明によるプラガブル光トランシーバは、ホストシステム上に搭載された金属製のケージに挿入されて使用されるプラガブル光トランシーバで、光コネクタを受納する開口を有するレセプタクルと、先端部に複数のＣ字状に湾曲された弾性フィンガを有する金属カバーを備える。弾性フィンガは、前記の開口内に突き出ていて、開口内に光コネクタが挿入された状態のときに金属カバーの外方に突き出されて、ケージの内面に電気的に接触するようにされる。また、弾性フィンガは、端部がフック状に内側に湾曲され、さらに、ケージの開口縁部に係止する係止部を有している。
【発明の効果】
【００１２】
本発明によれば、レセプタクル内に光コネクタが挿入されていないときは、Ｃ字状の弾性フィンガはケージ内面に無接触状態となり、トランシーバの着脱は弾性フィンガの影響を受けることなく容易に行える。一方、レセプタクル内に光コネクタが挿入されているときは、光コネクタによってＣ字状の弾性フィンガがトランシーバの外面に突き出されてケージ内面に強く接触して、良好な接地接続を得ることができる。
【発明を実施するための最良の形態】
【００１３】
図により本発明の実施の形態を説明する。図１は本発明によるプラガブル光トランシーバの外観を示す図、図２は第１の実施形態を説明する図、図３は第２の実施の形態を説明する図である。図中、２はケージ、２ａはケージフィンガ、２ｂは開口縁部（ケージ開口縁部）、３はホストパネル、３ａはパネル開口、４はホスト基板、７は光コネクタ、１１はプラガブル光トランシーバ（トランシーバ）、１２は金属カバー、１３は弾性フィンガ（テールフィンガ）、１３ａはＣ字状の湾曲部、１３ｂは基部、１３ｃは端部、１３ｄは係止部、１４は溝孔、１５はレセプタクル、１６は開口（レセプタクル開口）、１７はベールを示す。
【００１４】
本発明によるトランシーバ１１は、図１に示すように、基本的な構造・形状は従来と同様で、例えば、長方形状の金属カバー１２で全体が保護され、前部側に光コネクタが挿入されるレセプタクル１５の一部が露出した形状である。レセプタクル１５の前部には、光コネクタ７が着脱される一対の開口１６（以下、レセプタクル開口という）を有し、また、トランシーバ１１をホストシステムのケージ２に着脱するのに用いられるベール１７が取り付けられている。
【００１５】
トランシーバ１１内には、送信用のTOSA（Transmitting Optical Sub-Assembly）、受信用のROSA（Receiving Optical Sub-Assembly）を搭載し、光信号の送受信を行うための増幅素子等の電子部品や電子回路、及び、これらを実装するための回路基板等を備えている。トランシーバ１１の後部には電気コネクタが配置されていて、トランシーバ１１がケージに装着された際には、ホストシステムに電気的に接続されて通信可能状態とされる。また、トランシーバ１１の下部には、ケージへの装着を係止あるいは係止を解除するラッチ機構等（図示省略）が設けられている。
【００１６】
また、本発明においても、トランシーバ全体を保護する金属カバー１２には、従来と同様にケージの内面に接触させて、ケージを介してホストパネルに電気的に接地する構造が用いられる。電気的な接地は、できるだけケージの開口縁部の近くで形成するのが望ましく、金属カバー１２がケージの前端部分に位置する部分に先端部分に、後述する複数の弾性フィンガ１３が設けられる。
【００１７】
図２は本発明の第１の実施形態を説明する図で、図２（Ａ）は光コネクタが挿入されていない状態を示し、図２（Ｂ）は光コネクタが挿入されている状態を示している。トランシーバ１１が装着されるケージ２は、図４，図５で説明したのと同様に、前部のケージ開口縁部２ｂの周辺に複数のケージフィンガ２ａが設けられていている。ケージ２がホストシステムのホスト基板４上に搭載され、ケージ開口縁部２ｂをホストパネル３のパネル開口３ａから露出させたとき、ケージフィンガ２ａはパネル開口３ａに接触してケージ２を電気的に接地する。
【００１８】
通常、ケージ２は基板４との間でも接地されるので、電気的には十分に接地電位とされているが、ノイズ信号等の高周波成分が多い信号に対しては、ケージ開口縁部２ｂにおいても、できるだけ短い配線長で接地することにより接地電位を安定させる。
また、ケージ開口縁部２ｂの周辺が、ケージフィンガ２ａによりホストパネル３に電気的に接地することで、ケージ２とホストパネル３との間の隙間を確実にシールドすることができる。これにより、ホストシステム内の高周波信号に起因する高周波ノイズ成分がホストパネルの隙間から外部に漏洩するのを防止するとともに、外部から高周波ノイズ成分がホストシステム内に侵入するのを防止する。
【００１９】
本発明によるトランシーバ１１の弾性フィンガ１３は、図２（Ａ）に示すように、金属カバー１２の先端部の周囲に複数設けられる。弾性フィンガ１３は、Ｃ字状に丸められた湾曲部１３ａと帯状でフラットな基部１３ｂを有し、湾曲部１３ａの端部部分１３ｃは、さらに内側に丸めた形状とされる。このＣ字状の弾性フィンガ１３（以下、テールフィンガと略称する）は、光コネクタ７がレセプタクル開口１６内に挿入されていない状態では、テールフィンガ１３が溝孔１４から金属カバー１２内に没し、レセプタクル開口１６内に突き出るように形成される。
【００２０】
テールフィンガ１３は、通常は、弾圧力を受けないフリーの状態にあるときは、レセプタクル開口１６内に没してケージ２には接触していない、あるいは、接触するとしても軽く接している程度の状態にある。このため、ケージ２とトランシーバ１１とは、テールフィンガ１３による抵抗力を受けない互いにフリーな関係にあり、また、電気的な接地接続も形成されていない。
【００２１】
図２（Ｂ）に示すように、レセプタクル開口１６内に光コネクタ７が挿入されると、光コネクタ７の上壁面によってテールフィンガ１３が上方に押し上げられる。テールフィンガ１３は、溝孔１４から上方に押し出され金属カバー２の外方に突き出て、Ｃ字状に丸めることによって付与された弾圧力でケージ２の内面に強く接触される。この結果、金属カバー１２はケージ２に対して確実に電気的に接地される。
【００２２】
なお、光コネクタ７には、例えば、挿入が係止されるタイプ（ＬＣコネクタなど）のものが用いられ、光コネクタ７がレセプタクル開口１６内への挿入が係止される。また、テールフィンガ１３の端部１３ｃを、さらに、内側に丸め込むことにより、端部１３ｃが光コネクタ７に接触して傷をつけたり、摺接動作に対する抵抗を増加したりするのを軽減し、光コネクタの挿抜を損なわないような着脱を可能とする。
【００２３】
テールフィンガ１３は、金属カバー１２の先端部分に平行又はＵ字状にスリット（溝孔１４となる）を切り込んで叩き出しにより形成することができる。しかし、テールフィンガ１３は、丸め込まれる端部１３ｃを含めると、かなりの長さが必要となる。このため、テールフィンガ１３を金属カバー１２の端部近くで叩き出して形成する場合は、その長さが不足し十分な接地接続が得られない。このような場合には、予め弾性を有する金属板からテールフィンガ１３を作製しておき、金属カバー１２に予め形成した溝孔１４から突き出し可能に溶接等により形成する。
【００２４】
光コネクタ７をレセプタクル開口１６内から引抜くと、図２（Ａ）の状態に戻ってテールフィンガ１３は、金属カバー１２内に没してレセプタクル開口１６内に突き出る。そして、テールフィンガ１３は、ケージ２から離れて無接触状態となり、トランシーバ１１は、ケージ２に対してフリー状態となる。この状態で、ベール１７を前方に回動させると、ケージ２とトランシーバ１１とのラッチ状態が解除され、テールフィンガ１３の弾圧力を受けることなく、ベール２からトランシーバ１１を容易に引抜くことができる。
【００２５】
図３は本発明の第２の実施形態を説明する図で、図３（Ａ）は光コネクタが挿入されている状態を示し、図３（Ｂ），（Ｃ）はテールフィンガの構成例を説明する図である。この第２の実施形態においても、基本的構成においては、図２の第１の実施形態と同じで、テールフィンガ１３は、Ｃ字状に丸められた湾曲部１３ａと帯状でフラットな基部１３ｂを有し、湾曲部１３ａの端部部分１３ｃは、さらに内側に丸めた形状とされる。
【００２６】
ただ、図３（Ｃ）に示すように、湾曲部１３ａと基部１３ｂの境界部分に係止部１３ｄを有する形状としている点が異なる。また、ケージ開口縁部２ｂは、この係止部１３ｄが係止する内径側に屈曲された縁部を有する形状とされている。係止部１３ｄは、例えば、湾曲部１３ａの付け根部分から叩き出しにより形成され、フィンガ幅方向の中間部分を切り起こすか、または、側縁部分を切り起こして形成することができる。なお、係止部１３ｄは、基部１３ｃの延長上の前方に突き出る形状となる。
【００２７】
図３（Ａ）に示すように、レセプタクル開口１６内に光コネクタ７が挿入されていると、図２（Ｂ）に示したのと同様に、光コネクタ７の上壁面によってテールフィンガ１３が上方に押し上げられる。テールフィンガ１３は、溝孔１４から上方に押し出され金属カバー１２の外方に突き出て、Ｃ字状に丸めることによって付与された弾圧力を受けてケージ２の内面に強く接触される。この結果、金属カバー１２はケージ２に対して確実に電気的に接地される。
【００２８】
また、レセプタクル開口１６内に光コネクタ７が挿入されていると、係止部１３ｄは内方に向って突き出るケージ開口縁部２ｂに当接することで、トランシーバ１１がケージ２から抜け出るのを防止している。尤も、レセプタクル開口１６内に光コネクタ７が挿入されている場合は、ベール１７の前部方向への回動が阻止されるため、ラッチ機構によりトランシーバ１１とケージ２とはラッチ状態となっていて、トランシーバ１１の引き抜きは防止されている。しかし、上記のラッチ機構に加えて、テールフィンガ１３の係止部１３ｄによるラッチ手段を用いることにより、より完全なラッチを行うことが可能となる。
【００２９】
光コネクタ７をレセプタクル開口１６内から引抜くと、テールフィンガ１３は、その弾性により金属カバー１２内に没して、レセプタクル開口１６内に突き出る。そして、テールフィンガ１３は、ケージ２から離れて無接触状態となり、また、係止部１３ｄとケージ開口縁部２ｂとの係止状態も解除され、トランシーバ１１はケージ２に対してフリー状態となる。この状態で、ベール１７を前方に回動させると、ケージ２とトランシーバ１１とのラッチ状態が解除され、テールフィンガ１３の弾圧力を受けることなく、ベール２からトランシーバ１１を容易に引抜くことができる。
【図面の簡単な説明】
【００３０】
【図１】本発明によるプラガブル光トランシーバの概略を説明する図である。
【図２】本発明の第１の実施形態を説明する図である。
【図３】本発明の第２の実施形態を説明する図である。
【図４】従来のプラガブル光トランシーバとケージの一例を説明する図である。
【図５】従来のトランシーバのケージ内への装着状態を説明する図である。
【符号の説明】
【００３１】
２…ケージ、２ａ…ケージフィンガ、２ｂ…開口縁部（ケージ開口縁部）、３…ホストパネル、３ａ…パネル開口、４…ホスト基板、７…光コネクタ、１１…プラガブル光トランシーバ（トランシーバ）、１２…金属カバー、１３…テールフィンガ、１３ａ…湾曲部、１３ｂ…基部、１３ｃ…端部、１３ｄ…係止部、１４…溝孔、１５…レセプタクル、１６…開口（レセプタクル開口）、１７はベール。
【図１】
2007233261.tif 000003
【図２】
2007233261.tif 000004
【図３】
2007233261.tif 000005
【図４】
2007233261.tif 000006
【図５】
2007233261.tif 000007